(57)【要約】      （修正有）【課題】遊技球を補給樋から強制的に排出する際の強制排出量を容易に調整することを可能とする遊技機島設備を提供する。【解決手段】補給樋７の側端部に、転動面１６上を流下する遊技球を遊技機３又は球貸機４に向けて分配配給するための配給口１６が補給樋７の長手方向に並んで複数形成されており、且つ、最も下流に位置する配給口よりも下流の所定位置に、補給樋７の長手方向下流側に転動流下した遊技球を取り込む取込口と取込口から取り込まれた遊技球を排出するための球抜き通路２１と取込口を開放または閉止可能な球止具とを有するとともに単位時間に球抜き通路２１を通過可能な遊技球の個数を異にする複数の遊技球排出装置１０が設けられていることを特徴とする遊技機島設備１により遊技球の強制排出量を容易に調整可能とする。【選択図】図１
2009213743.tif 000002
【特許請求の範囲】
【請求項１】
長手方向に下り傾斜して遊技球を転動流下させる転動面の側方に交互に横並びに設置される（a）前記遊技球を用いて遊技が行われる複数台の遊技機、又は（ｂ）前記長手方向上流側に隣接する遊技機に遊技球を供給する複数台の球貸機に対して、前記転動面を流下する遊技球を分配配給する補給樋を備えた遊技機島設備において、
補給樋には、
該補給樋の側端部に、転動面上を流下する遊技球を遊技機又は球貸機に向けて分配配給するための配給口が該補給樋の長手方向に並んで複数形成されており、且つ、
最も下流に位置する配給口よりも下流の所定位置に、補給樋の長手方向下流側に転動流下した遊技球を取り込む取込口と該取込口から取り込まれた遊技球を排出するための球抜き通路と該取込口を開放または閉止可能な球止具とを有するとともに単位時間に球抜き通路を通過可能な遊技球の個数を異にする複数の遊技球排出装置が設けられている、ことを特徴とする遊技機島設備。
【請求項２】
遊技球排出装置は、最も下流に位置する配給口よりも下流の側端部所定位置、および、補給樋の長手方向下流端部の位置に設けられており、
最も下流に位置する配給口よりも下流の側端部所定位置に設けられた遊技球排出装置よりも、補給樋の長手方向下流端部の位置に設けられた遊技球排出装置のほうが、単位時間に球抜き通路を通過可能な遊技球の個数が大きい、ことを特徴とする請求項１記載の遊技機島設備。
【請求項３】
遊技球排出装置が、最も下流に位置する配給口よりも下流の側端部所定位置として、最も下流に位置する配給口よりも下流の位置且つ補給樋の幅方向左右両側端部のそれぞれの位置に、設けられている、ことを特徴とする請求項１または２記載の遊技機島設備。
【請求項４】
補給樋の長手方向下流端部の位置に設けられた遊技球排出装置は、前記取込口より取り込まれた遊技球を転動させる排出面を有する排出路を備えるとともに、球抜き通路を、該球抜き通路の始端を上方に向かって開口させて形成しており、
排出路は、該排出面の一部を開口させて開口部を形成しているとともに、該開口部に向かって下り傾斜する傾斜面にてなる傾斜路を少なくとも一部に有し、
該開口部は、該球抜き通路の始端に連通している、ことを特徴とする請求項１から３のいずれかに記載の遊技機島設備。
【請求項５】
最も下流に位置する配給口よりも下流の側端部所定位置に設けられる遊技球排出装置は、前記取込口より取り込まれた遊技球を転動させる排出路を備えるとともに、球抜き通路を、該球抜き通路の始端を上方に向かって開口させて形成しており、
排出路は、下り傾斜に形成された傾斜面を備える傾斜路と、折返し形状に形成された折返し路と、取込口から取り込まれた遊技球を誘導する誘導路とを有し、折返し路の一端側で傾斜路の上流端に連通するとともに折返し路の他端側で誘導路を連通させて遊技球の流下経路を形成するとともに、傾斜路の下流端部に下方向に開口して開口部を形成してなり、
該開口部は、該球抜き通路の始端に連通している、ことを特徴とする請求項１から４のいずれかに記載の遊技機島設備。
【発明の詳細な説明】
【技術分野】
【０００１】
本発明は、遊技機等を設置される遊技機島設備に関する。
【背景技術】
【０００２】
遊技機に使用される遊技球は、遊技機島設備の上部に架設された補給樋の転動面上を長手方向に流下しながら、補給樋の側方に所定間隔を隔てて開口形成されたシュートを通じて遊技機や球貸機に分配供給される。
【０００３】
球貸機を介して遊技機に供給された遊技球や、シュートから遊技機に送られて賞球として貯留された遊技球は、遊技者に付与されずに使用されると、遊技機の背面からアウト球回収樋（溝樋）に排出される。
【０００４】
アウト球回収樋は、遊技機島設備の長手方向に沿ってその内部下方位置に設けられるとともに、下り傾斜して遊技球を流下させる流下面を有している。アウト球回収樋の長手方向下流方向の下流端部には遊技球を回収する下部タンクが設けられている。下部タンクに回収された遊技球は、揚送研磨装置に送られ、その揚送研磨装置にて研磨清掃されつつ遊技機島設備上部に設けられた上部タンクに揚送される。上部タンクは補給樋の長手方向上流端部に向かって開口する開口部を備えており、遊技球は、上部タンクの開口部から所定の流下量にて補給樋に向けて供給され、再び、補給樋を転動流下する。
【０００５】
このように遊技球は、遊技機および球貸機と、遊技機島設備との間を循環しており、この循環が、効率的な遊技球の利用を実現している。
【０００６】
ところが、遊技球の転動面上での滞留時間は、常に一定ということではなく、遊技球が効率よく循環しない状態が起こりうる。例えば、遊技機島設備から遊技球の供給を受ける遊技機に大当たりが生じない状態が長く続くときや、遊技者による遊技に使用された状態にある遊技機がごく少ない場合などでは、遊技機等による遊技球の消費速度が遅く、補給樋の転動面上で遊技球の滞留時間がより長くなることが起こる。
【０００７】
このように転動面上での遊技球の滞留時間が長くなると、徐々に塵や埃が遊技球に付着して遊技球の汚れが多くなる。遊技球に汚れが付着していると、遊技者に不快感を与えるのみならず、遊技機や球貸機の内部に遊技機に付着した汚れが持ち込まれて、遊技機や球貸機の汚損や誤作動の原因となってしまう虞もある。
【０００８】
そこで、これまで、遊技機島設備として、パチンコ玉などの遊技球たる遊技媒体を研磨しながら揚送する遊技媒体研磨揚送装置と、遊技媒体研磨揚送装置により揚送された遊技媒体を受け入れる上部タンクと、上部タンクに受け入れられた遊技媒体を遊技機に補給する補給樋と、補給樋の下流端部に設けられ補給樋内の遊技球を抜き取る玉抜きストッパー装置を設けた遊技機島設備が提案されている。この遊技機島設備では、玉抜きストッパー装置に玉抜きストッパーが備えられており、ストッパーの開放により、遊技球が玉抜き通路を介して補給樋から排出される（特許文献１）。
【０００９】
また、遊技機島設備として、下玉タンクと、玉リフトと、上玉タンクからなるパチンコ玉循環供給装置が組み込まれたパチンコ設備ユニットに金属パネルを設けて上下方向に亘る閉断面空間部を形成し、閉断面空間部の上位部と下位部をそれぞれ上玉タンクの最下部と下玉タンクの最上位部に連通させて玉戻し経路を形成し、さらに玉戻し経路を閉鎖可能なシャッター手段を設けてなるものが、提案されている（特許文献２）。
【００１０】
【特許文献１】特開２００６−０００３５１号公報
【特許文献２】特開平９−１７３６０８号公報
【発明の開示】
【発明が解決しようとする課題】
【００１１】
特許文献１，２に記載された遊技機島設備は、いずれも遊技球の強制的な排出が可能となるものの、遊技球を強制的に排出するか否かを変更することができるにとどまり、強制的に排出する遊技球の数量を調整することが困難である。特に、ごく少数の遊技球を排出させたいような場合や、ごく少数の遊技球を排出させたい状況と大量の遊技球を排出させたい状況とが短い時間間隔で訪れるような場合には、遊技球の排出量の調整が重要であり、特許文献１，２に記載された遊技機島設備では、このような場合に対する対処が困難である。
【００１２】
本発明は、遊技球を補給樋から強制的に排出する際の強制排出量を容易に調整することを可能とする遊技機島設備を提供することを目的とする。
【課題を解決するための手段】
【００１３】
本発明は、（１）  長手方向に下り傾斜して遊技球を転動流下させる転動面の側方に交互に横並びに設置される（a）前記遊技球を用いて遊技が行われる複数台の遊技機、又は（ｂ）前記長手方向上流側に隣接する遊技機に遊技球を供給する複数台の球貸機に対して、前記転動面を流下する遊技球を分配配給する補給樋を備えた遊技機島設備において、
補給樋には、
該補給樋の側端部に、転動面上を流下する遊技球を遊技機又は球貸機に向けて分配配給するための配給口が該補給樋の長手方向に並んで複数形成されており、且つ、
最も下流に位置する配給口よりも下流の所定位置に、補給樋の長手方向下流側に転動流下した遊技球を取り込む取込口と該取込口から取り込まれた遊技球を排出するための球抜き通路と該取込口を開放または閉止可能な球止具とを有するとともに単位時間に球抜き通路を通過可能な遊技球の個数を異にする複数の遊技球排出装置が設けられている、ことを特徴とする遊技機島設備、
（２）  遊技球排出装置は、最も下流に位置する配給口よりも下流の側端部所定位置、および、補給樋の長手方向下流端部の位置に設けられており、
最も下流に位置する配給口よりも下流の側端部所定位置に設けられた遊技球排出装置よりも、補給樋の長手方向下流端部の位置に設けられた遊技球排出装置のほうが、単位時間に球抜き通路を通過可能な遊技球の個数が大きい、ことを特徴とする上記（１）記載の遊技機島設備、
（３）  遊技球排出装置が、最も下流に位置する配給口よりも下流の側端部所定位置として、最も下流に位置する配給口よりも下流の位置且つ補給樋の幅方向左右両側端部のそれぞれの位置に、設けられている、ことを特徴とする上記（１）または（２）記載の遊技機島設備、
（４）  補給樋の長手方向下流端部の位置に設けられた遊技球排出装置は、前記取込口より取り込まれた遊技球を転動させる排出面を有する排出路を備えるとともに、球抜き通路を、該球抜き通路の始端を上方に向かって開口させて形成しており、
排出路は、該排出面の一部を開口させて開口部を形成しているとともに、該開口部に向かって下り傾斜する傾斜面にてなる傾斜路を少なくとも一部に有し、
該開口部は、該球抜き通路の始端に連通している、ことを特徴とする上記（１）から（３）のいずれかに記載の遊技機島設備、
（５）  最も下流に位置する配給口よりも下流の側端部所定位置に設けられる遊技球排出装置は、前記取込口より取り込まれた遊技球を転動させる排出路を備えるとともに、球抜き通路を、該球抜き通路の始端を上方に向かって開口させて形成しており、
排出路は、下り傾斜に形成された傾斜面を備える傾斜路と、折返し形状に形成された折返し路と、取込口から取り込まれた遊技球を誘導する誘導路とを有し、折返し路の一端側で傾斜路の上流端に連通するとともに折返し路の他端側で誘導路を連通させて遊技球の流下経路を形成するとともに、傾斜路の下流端部に下方向に開口して開口部を形成してなり、
該開口部は、該球抜き通路の始端に連通している、ことを特徴とする上記（１）から（４）のいずれかに記載の遊技機島設備、を要旨とする。
【００１４】
なお、本発明は、（６）  補給樋の長手方向下流端部の位置に設けられた遊技球排出装置は、補給樋の転動面と排出路の排出面との間に、遊技球の取込方向に下り段差を形成するように設けられている、ことを特徴とする上記（４）記載の遊技機島設備、（７）  最も下流に位置する配給口よりも下流の側端部所定位置に設けられる遊技球排出装置では、遊技球の流下方向に向かって左右の方向における排出路の幅が、遊技球の直径１個分を超えて２個分未満の長さになっている、ことを特徴とする上記（５）に記載の遊技機島設備、（８）  最も下流に位置する配給口よりも下流の側端部所定位置に設けられる遊技球排出装置は、補給樋の転動面と排出路の誘導路の間に、遊技球の取込方向に下り段差を形成するように設けられている、ことを特徴とする上記（５）記載の遊技機島設備、という上記（６）から（８）のいずれかに示すように構成された遊技機島設備であってもよい。
【発明の効果】
【００１５】
本発明によれば、遊技球排出装置として、球抜き通路を通過する遊技球の数を異にするものが設けられていることで、遊技球を補給樋から強制的に排出する際の強制排出量を容易に調整することを可能とする遊技機島設備を提供することが容易となる。
【００１６】
本発明によれば、遊技球排出装置を、最も下流に位置する配給口よりも下流の側端部所定位置、および、補給樋の長手方向下流端部の位置に設けることで、補給樋の長手方向端部のみならず、補給樋の側端部からも、強制的に遊技球を排出することができる。この場合、遊技球を補給樋外に排出させる際の遊技球の排出方向が長手方向一方向のみに限定されず、複数の方向より遊技球を排出することができるのみならず、補給樋内において遊技球にかかる応力状態を多様化させることができ、遊技球の応力状態に応じた遊技球のブリッジに伴う球詰まりの発生を抑制し解消することが容易となる。
【００１７】
本発明によれば、遊技球排出装置を、最も下流に位置する配給口よりも下流の位置且つ補給樋の幅方向左右両側端部のそれぞれの位置に設けることで、補給樋の両側端部から、遊技球を適宜排出することが可能となる。このため、本発明によれば、補給樋の左右位置の違いによって補給樋内の遊技球が長い時間滞留してしまう状況を生じてしまう虞をなくすことが可能となる。
【００１８】
例えば、遊技機設置島の補給樋の長手方向に向かって左右両側方に遊技機や球貸機が設けられる場合には、補給樋の右側方の遊技機等には、補給樋の右端部から、補給樋の左側方の遊技機等には、補給樋の左端部から、それぞれ遊技球の補給がなされることが多い。その際、遊技機の稼動状態に応じて、左側方と右側方いずれか一方の遊技機などに補給される遊技球が、他方の遊技機などに消費される遊技球よりも少なくなることがあり、補給樋の幅方向左右のうち遊技機等への遊技球の補給量の少ない方を流下する遊技球は、滞留時間が長くなってしまう。このような場合に、遊技球排出装置が、最も下流に位置する配給口よりも下流の位置且つ補給樋の幅方向左右両側端部のそれぞれの位置に設けられておれば、滞留時間が長い方の側端部に設けられた遊技球排出装置から遊技球を排出させることができ、補給樋の幅方向について遊技球の滞留時間のバランスをとることが容易となる。
【００１９】
本発明においては、補給樋の長手方向下流端部の位置に設けられる遊技球排出装置として、前記取込口より取り込まれた遊技球を転動させる排出面を有する排出路を備えるとともに、球抜き通路を、その球抜き通路の始端を上方に向かって開口させて形成しており、排出路は、該排出面の一部を開口させて開口部を形成しているとともに、その開口部に向かって下り傾斜する傾斜面にてなる傾斜路を少なくとも一部に有し、さらに、その開口部は、球抜き通路の始端に連通している、ように構成されているものが用いられてもよい。そして、このような遊技球排出装置が用いられることで、本発明によれば、遊技球排出装置から排出される遊技球の流下をより大量に且つ球詰まりのないスムーズなものとすることができる。したがって、本発明によれば、遊技球を補給樋から強制的に排出する際の強制排出量をより大量にするための調整を容易に可能とする遊技機島設備を提供することができる。
【００２０】
本発明においては、最も下流に位置する配給口よりも下流の側端部所定位置に設けられる遊技球排出装置として、前記取込口より取り込まれた遊技球を転動させる排出路を備えるとともに、球抜き通路を、該球抜き通路の始端を上方に向かって開口させて形成しており、排出路は、下り傾斜に形成された傾斜面を備える傾斜路と、折返し形状に形成された折返し路と、取込口から取り込まれた遊技球を誘導する誘導路とを有し、折返し路の一端側で傾斜路の上流端に連通するとともに折返し路の他端側で誘導路を連通させて遊技球の流下経路を形成するとともに、傾斜路の下流端に下方向に開口して開口部を形成してなり、該開口部は、該球抜き通路の始端に連通している、ように構成されているものが用いられていてもよい。このような遊技球排出装置は、遊技球排出装置から排出される遊技球の流下速度を適度に制御することができるものであるため、このような遊技球排出装置が本発明に用いられることで、遊技球排出装置から排出される遊技球の流量をより細かに制御することができる。したがって、本発明によれば、遊技球を補給樋から強制的に排出する際の強制排出量の多様な調整を容易に可能とする遊技機島設備を提供することが容易となる。
【発明を実施するための最良の形態】
【００２１】
＜遊技機島設備１の構成＞
本発明の遊技機島設備１は、図１から図３に示すように、その長手方向に遊技球２を転動流下させて遊技機３や球貸機４（遊技機３や球貸機４を遊技機器５と総称する）に遊技球２を分配するための配給口６を備えた補給樋７と、補給樋７を転動流下する遊技球２を遊技機島設備１内で循環させる遊技球循環構造８とを備え、補給樋７に、遊技球２をその補給樋７から排出するための遊技球排出装置１０を設けてなる。
【００２２】
遊技球循環構造８は、遊技機島設備１の上部に位置して多数の遊技球を貯留するとともに貯留された遊技球を補給樋７に排出可能な球出口を備えた球タンク９と、補給樋７を流下する遊技球２を遊技機器５に分配供給する分配シュート１１と、遊技機器５の内部に形成された遊技球の流下経路を通過して遊技機器５の外部に排出された遊技球を受け入れて転動流下させる排出転動面１３を備えた排出樋１２と、排出樋１２内を転動流下した遊技球を貯留する下部タンク１４と、下部タンク１４に貯留された遊技球を研磨するとともにその遊技球を球タンク９に向けて揚送する揚送研磨装置１５とを備えてなる。
【００２３】
なお、本明細書において、遊技機島設備１の上下、左右、上流下流方向について、遊技機島設備１の長手方向を上流下流方向（図３中、矢印Ｂ−Ｆ方向）とする。また、遊技機島設備１の設置面に対して近づく方向を下方向（図１中、矢印Ｄ方向）とし、設置面から遠ざかる方向を上方向（図１中、矢印Ｕ方向）とする。さらに、遊技機島設備１の長手方向下流側から上流側にむかって遊技機島設備１を見た場合における左右方向が、遊技機島設備１の左右方向（図３中、矢印Ｘ-Ｙ方向）であるものとする。
【００２４】
＜補給樋７の構成＞
補給樋７は、遊技球２を転動流下させるための転動面１６を上面となす底面部材１７と、底面部材１７の長手方向に向かって左右方向（幅方向）両方の側端部（両側端部（右側端部と左側端部））にそれらの両側端部に沿うとともに上方に向かって立設された側壁部材１８とを備えてなる。
【００２５】
補給樋７の底面部材１７は、その底面部材１７の内面上に形成される転動面１６上を遊技球２が転動流下できるよう、その長手方向に沿って所定の下り傾斜の勾配（図１において、勾配θ）を有して遊技機設置島１に設けられている。補給樋７の勾配θは、通常、３度以上５度以下程度の値とされる。補給樋７の長手方向に対する勾配θは、補給樋７の長手方向に異なる場所について、同じであるように形成されている。ただし、このことは、補給樋７の勾配θが、球タンク９に近い位置ほど大きくなるように形成されることや、また、補給樋７の下流位置ほど勾配θが大きくなるように形成されることを排除するものではない。補給樋７が、その上流側と下流側の勾配を相違させて構成されている場合、補給樋７を流下する遊技球２の流動性をより向上させることができる。
【００２６】
補給樋７の底面部材１７は、幅方向に、その側端部よりも内側の位置から、側端部に向かって下り傾斜した傾斜面を形成していてもよい。この場合、底面部材１７は、その幅方向の断面のうち転動面１６に対応する部分の形状を上方に向かって凸形状にしてなるものとして構成される。
【００２７】
補給樋７の側壁部材１８は、その長手方向に沿って間欠的に開口して、補給樋７を転動流下する遊技球２を配給する配給口６を形成している。この配給口６には、遊技機３もしくは球貸機４に遊技球２を導くための分配シュート１１が装着されている。
【００２８】
補給樋７には、最も下流側に形成された配給口６よりも更に下流の部分（図３中では、補給樋７のうち範囲Ｒで特定される部分）における所定位置に、遊技球２を排出可能な排出口１９が形成されている。排出口１９は、図３に示す例では、範囲Rで特定される部分のうち、補給樋７の長手方向下流端部と、補給樋７の左右方向の両方の側端部（すなわち側壁部材１８の部分）という３箇所に具体的に設けられる。ただし、このことは、排出口１９が、補給樋７の長手方向下流端部と、補給樋７の左右方向のいずれかの方向にある側端部という２箇所に設けられること、範囲Rで特定される部分のうち４箇所以上設けられることを排除するものではない。
【００２９】
補給樋７には、排出口１９の位置に、遊技球排出装置１０が装着されている。
【００３０】
＜遊技球排出装置１０の構成＞
遊技球排出装置１０は、補給樋７の長手方向下流側向かって転動流下した遊技球２を取り込む取込口２０と、該取込口２０から取り込まれた遊技球２を排出するための球抜き通路２１と、取込口２０を開放または閉止可能な球止具２２と、を有する。
【００３１】
取込口２０は、遊技球排出装置１０を補給樋７に設けた状態で、排出口１９を通過する遊技球を１個以上取り込み可能な位置と寸法で形成されておればよいが、排出口１９を通過する遊技球をもれなく取り込むことを考慮して、図３の遊技球排出装置の例では、取込口２０は排出口１９と同形に形成される。
【００３２】
遊技球排出装置１０は、その取込口２０を、補給樋７の排出口１９に向かい合わせて配置され、補給樋７に対して固定されることで、補給樋７に装着される。このとき、遊技球排出装置１０は、取込口２０の下端縁を、補給樋７の長手方向最も下流側に形成された配給口６よりも更に下流の部分に形成された排出口１９の下端縁に対して、上下方向に符合させて配置されている。なお、遊技球排出装置１０の取込口２０の下端縁の輪郭形状と、補給樋７の長手方向最も下流側に形成された配給口６よりも更に下流の部分に形成された排出口１９の下端縁の輪郭形状とが一致しない場合には、その排出口１９の下端縁よりも上下方向下側に、遊技球排出装置１０の取込口２０の下端縁を配置させて、遊技球排出装置１０が補給樋７に配置される。
【００３３】
球抜き通路２１は、球抜き通路形成部材２３にて形成される。球抜き通路形成部材２３は、その長手方向両端を開口した筒型形状に形成されている。すなわち、その球抜き通路形成部材２３を長手方向に沿って貫通させて球抜き通路形成部材２３の両端を連通させてなる空間部が形成されている。この球抜き通路形成部材２３は、蛇腹構造など、屈伸可能な構造を備えてもよい。この場合、空間部は、球抜き通路形成部材２３の屈伸による変形に応じて、その空間部の形状の可変なものとなる。球抜き通路形成部材２３の空間部は、遊技球を転動流下可能な大きさを有しており、球抜き通路２１をなす。球抜き通路２１での遊技球の流下は、遊技球が球抜き通路形成部材２３の空間部の一端の開口部分より流入し空間部内を通過して空間部の他端の開口部分から流出することで、実現される。
【００３４】
球抜き通路形成部材２３は、その空間部の一端側の開口部分を、補給樋７に向けて、且つ、空間部の他端側の開口部分を、排出樋１２の排出転動面１３に向けて配置している。これにより、球抜き通路形成部材２３は、補給樋７から取込口２０を通過して遊技球排出装置１０に取り込まれた遊技球を、遊技機器５内部を経由せずに、排出樋１２の排出転動面１３に向かって遊技球を流下可能に配置形成されている。このとき、球抜き通路２１の始端は、球抜き通路形成部材２３の長手方向両端部のうち、補給樋７に向かって上方に向かい開口する端部にあたることとなり、球抜き通路２１の終端は、球抜き通路形成部材２３の長手方向両端部のうち、排出樋１２の排出転動面１３に向かう端部にあたることとなる。
【００３５】
補給樋７に設けられる複数の遊技球排出装置１０は、単位時間に球抜き通路２１を通過可能な遊技球の個数（Ｖ）を異にする。複数の遊技球排出装置１０について、球抜き通路２１を通過可能な遊技球を異ならせることは、球抜き通路２１の口径を互いに異ならせることや、取込口２０の大きさを互いに異ならせることによって具体的に実現可能である。なお、遊技機島設備１においては、全ての遊技球排出装置１０についてのＶの値がそれぞれに相違する値であってもよいし、一部の遊技球排出装置１０についてのみＶの値が他の遊技球排出装置１０におけるＶの値と異なっていてもよい。図３に示す遊技球排出装置１０（１０ａ、１０ｂ）の例では、上記Ｖの値は、補給樋７の長手方向下流端部に設けられる遊技球排出装置１０ａのほうが、補給樋７の長手方向に向かって左右方向の両方の側端部に設けられた遊技球排出装置１０ｂ、１０ｂよりも大きく、また、補給樋７の長手方向に向かって左右方向の両方の側端部に設けられた遊技球排出装置１０ｂ、１０ｂ間については等しくなっている。これは、補給樋７の長手方向下流端部に設けられる遊技球排出装置１０ａのほうが、補給樋７の長手方向に向かって左右方向の両方の側端部に設けられる遊技球排出装置１０ｂよりも、取込口２０の大きさと球抜き通路２１の口径のいずれも大きく形成され、そして、補給樋７の長手方向に向かって左右方向の両方の側端部のそれぞれに設けられた遊技球排出装置１０ｂ、１０ｂ間について、取込口２０の大きさと球抜き通路２１の口径のいずれも互いに同じくする遊技球排出装置１０を用いられることで、実現される。
【００３６】
遊技球排出装置１０の球止具２２は、排出口１９を通過する遊技球を取込口２０から取り込むことを遮断する部材であり、取込口２０を開放閉止自在に設けられ、取込口２０と排出口１９との対面を遮り、取込口２０と排出口１９との相互の連通を遮断する。このとき、排出口１９と取込口２０は、遊技球の流下を停止させることができる程度に遮断されておれば、完全に遮断されていなくともよい。なお、球止具２２による取込口２０の開放閉止は、図２に示すように、遊技球排出装置１０がヒンジ２５にて球止具２２を支軸３６まわりに回動可能に軸支された構成を備えることで、その球止具２２の回動によって実施することができる。そのほか、取込口２０の開放閉止は、遊技球排出装置１０が球止具２２自体を着脱自在に設けることで、その球止具２２の着脱によっても実施できる。
【００３７】
＜遊技球排出装置１０の例（１）＞
図３に示す例では、補給樋７の長手方向下流端部に設けられる遊技球排出装置１０（１０ａ）として、具体的に図４（ａ）（ｂ）、図５（ａ）にて示す構成を有するものが補給樋７に装着される。
【００３８】
補給樋７の長手方向下流端部の位置に設けられた遊技球排出装置１０は、図４（ａ）（ｂ）、図５（ａ）に示すように、遊技球の流出経路を構成する排出面２６を形成する排出面形成部材２７と、排出面形成部材２７の側縁周囲位置にその側縁に沿って立設されるとともに上方に向かって立設形成される外壁形成部材２８とで、全体に箱型形状に形成された本体２９と、本体２９から下方に向けて突出して設置された球抜き通路形成部材２３と、本体２９に対してヒンジ２５を介して接続された球止具２２とを備える。
【００３９】
排出面形成部材２７は、平面視上、その外縁輪郭形状を矩形状にして排出面２６を形成しており、一部を開口させて開口部３０を穿設形成している。図４に示す排出面形成部材２７は、排出面２６は、矩形状の平坦面３３と、その平坦面３３に向かって排出面２６の長手方向に下り傾斜する傾斜面３１とで形成されており、その平坦面３３の領域内に円形状の開口部３０が穿設形成されている。すなわち、排出面形成部材２７は、開口部３０を形成するとともに、その開口部３０を除く部分のうちの少なくとも一部を、その開口部３０に向かって下り傾斜する傾斜面３１となす。
【００４０】
ここで、この遊技球排出装置１０ａにおいて、遊技球の流出経路たる排出路は、排出面２６にて形成される。排出面２６は、一部に開口部３０を形成するとともに、傾斜路をなす傾斜面３１を一部に形成している。したがって、排出路は、その排出面２６の一部を開口させて開口部３０を有しているとともに、その開口部３０に向かって下り傾斜する傾斜面３１にてなる傾斜路を少なくとも一部に有していることとなる。
【００４１】
外壁形成部材２８は、矩形状の外縁輪郭形状を有する排出面形成部材２７の外側縁をなす四辺の各辺位置に上方に向かって板状部材３４を立設して、対面する２組の板状部材３４でなる４つの壁面を本体２９に形成する。外壁形成部材２８においては、１組の対面する板状部材３４（３４ａ、３４ｂ）は、他の１組の対面する壁面を構成する板状部材３４（３４ｃ、３４ｄ）よりも、上端位置を低位置にして配置される。そして、外壁形成部材２８は、上端位置を高位置とする1組の板状部材３４（３４ｃ、３４ｄ）と上端位置を低位置とする１枚の板状部材３４ａとで、外壁形成部材２８の一部を開口させた部分として取込口２０を形成している（図４（ａ））。また、外壁形成部材２８において、取込口２０の下端縁を形成する板状部材３４ａに対して対面する板状部材３４ｂは、その板状部材３４ｂの外面側上端位置から下方に向かう領域にヒンジ２５が接合されている（図４（ｂ））。
【００４２】
本体２９の外壁形成部材２８には、その外壁形成部材２８に設けられたヒンジ２５を介して、球止具２２が接続される。
【００４３】
球止具２２は、断面コ字形状に形成されており、球止具２２のコ字形状の一方の側端縁は、先端部分を、突出した山部と山部に対して相対的に陥没した谷部とを交互に形成させてなるぎざぎざ形状に形成されて差込片３５を形成している。そして、球止具２２は、その球止具２２において差込片３５に対面する部分（支持部２４）にてヒンジ２５に固定されて、支軸３６を中心に回動可能に外壁形成部材２８に接続される。この球止具２２においては、ヒンジ２５の支軸３６まわりに差込片３５と取込口２０の距離を近づける方向に回動されることで、差込片３５が取込口２０に差し込まれ、差込片３５と取込口２０の距離を遠ざける方向に回動されることで、差込片３５が取込口２０から抜き出される。
【００４４】
この遊技球排出装置１０において、本体２９には、長手方向に貫通した空間部を形成している球抜き通路形成部材２３が、本体２９の排出面形成部材２７の外面に接続される。このとき、球抜き通路形成部材２３の空間部が本体２９の排出面形成部材２７の開口部３０に対して連通し、球抜き通路形成部材２３は本体２９の下方向に向かって突出するように配置されている。したがって、この遊技球排出装置１０においては、球抜き通路形成部材２３にて形成される球抜き通路２１は、その始端を上方に向かって開口させて形成され、その球抜き通路２１の始端と、排出面形成部材２７の開口部３０とが連通する。
【００４５】
この遊技球排出装置１０は、取込口２０を、補給樋７の長手方向下流端部の排出口１９に対面させつつ補給樋７に対して固定されることで、補給樋７に装着される。補給樋７への固定は、図５（ｃ）に示すように行われる。
【００４６】
まず、遊技球排出装置１０を取り付けられる補給樋７としては、図５（ｂ）に示すように、底面部材１７と、その幅方向の側端部に沿って両側に立設される側壁部材１８とを分離可能に構成しているものを用いることができる。底面部材１７は、幅方向中央に向かって膨出した転動面１６を形成し、幅方向両端に側壁部材１８を嵌合装着するための取付溝３７が設けられている。
【００４７】
底面部材１７は、下面側を凹状に形成して、その底面部材１７の幅方向中央から外方向所定位置までの範囲を薄肉な薄肉部３８となし、薄肉部３８よりも幅方向外側に向かって取付溝３７までの範囲を薄肉よりも肉厚の厚い厚肉部３９となしており、薄肉部３８には、転動面１６を暖めるヒータを装着するためのガイド４０が設けられる。厚肉部３９には、ボルト４３を通じるための挿通溝４１が底面部材１７の長手方向に延びて設けられる。底面部材１７の挿通溝４１は、溝出口４２の溝幅を溝内部の幅よりも小さく構成されている。この挿通溝４１には、ボルト４３の頭部を溝内部に向け、ボルト４３の胴部を溝出口４２に向けて、ボルト４３が配置される。
【００４８】
一方、遊技球排出装置１０には、取込口２０を形成する板状部材３４に、止付片４５がその先端を水平方向且つ外方向に向けつつ設けられており、止付片４５の先端縁にはその先端から板状部材３４に向かって平面視上Ｕ字状に切り取られてなる切欠４４が止付片４５の幅方向（図４中Ｘ−Ｙ方向）内側の位置に形成されている。切欠４４の形成位置には、遊技球排出装置１０を補給樋７に配置させた際に、補給樋７の挿通溝４１の形成位置に対面するような位置が選ばれる。
【００４９】
遊技球排出装置１０は、取込口２０を、補給樋７の長手方向下流端部の排出口１９に対面させると、止付片４５の切欠４４が、補給樋７の挿通溝４１に対面するとともに、挿通溝４１に配置されたボルト４３の胴部の先端が、止付片４５の切欠４４を上下方向に貫通する。そして、そのボルト４３に対して螺合するナット４９にて、止付片４５の下方向より遊技球排出装置１０の止付片４５と補給樋７とが締結される。こうして、遊技球排出装置１０は補給樋７に対して固定される。
【００５０】
なお、遊技球排出装置１０を補給樋７に装着するにあたっては、遊技球排出装置１０が、補給樋７の転動面１６と排出路の排出面２６との間に、遊技球の取込方向に下り段差を形成するように、補給樋７に設けられていてもよい。これは、遊技球排出装置１０が、取込口２０を形成する板状部材３４ａと排出面形成部材２７との交差部分のうちの上流部分にあたる位置を、遊技球排出装置１０を補給樋７に装着した際における補給樋７の排出口１９と転動面１６の境界位置よりも下方側に位置させることでも実現できる。遊技球排出装置１０を補給樋７に装着した際、取込口２０の下端縁は、補給樋７の長手方向下流端部の排出口１９の下端縁に符合させて配置されるので、図４（ｂ）中、矢印Ｈ１の範囲にて示す高低差が、下り段差をなす。
【００５１】
＜遊技球排出装置１０の例（２）＞
次に、補給樋７における最も下流に位置する配給口６よりも下流の位置且つ補給樋７の長手方向に向かって左右方向の側端部の所定位置に設けられる遊技球排出装置１０（１０ｂ）として、具体的に図６（ａ）（ｂ）に示すような構成を有するものが装着される。
【００５２】
最も下流に位置する配給口６よりも下流の側端部の所定位置に設けられる遊技球排出装置１０ｂは、遊技球の流出経路を構成する排出面２６を形成する排出面形成部材２７と、排出面形成部材２７の側縁周囲位置にその側縁に沿って上方に向かって立設形成される外壁形成部材２８とで形成される本体２９と、本体２９から下方に向けて突出して設置された球抜き通路形成部材２３と、本体２９に対して着脱自在な球止具２２とを備える。
【００５３】
この遊技球排出装置１０には、遊技球の流下経路を構成する排出路６０が形成されており、この排出路６０は、下り傾斜に形成された傾斜面３１を備える傾斜路６１（図６（ｂ）中、符号６１で示す斜線部分）と、折返し形状に形成された折返し路６２（図６（ｂ）中、符号６２で示す斜線部分）と、取込口２０から取り込まれた遊技球を排出路６０の下流端部に向けて誘導する誘導路６３（図６（ｂ）中、符号６３で示す斜線部分）とを有して構成され、つづら折りの通路における折れ曲がった部分の構造を有する通路を形成している。この排出路６０では、遊技球は、誘導路６３から折返し路６２を通過してさらに傾斜路６１へと流下する。なお、この遊技球排出装置１０において、排出路６０の上流から下流方向は、誘導路６３から傾斜路６１に向かって遊技球の流下方向に沿う方向として定義される。
【００５４】
排出路６０は、排出面２６にて形成され、排出面２６は排出面形成部材２７で構成される。排出面形成部材２７は、排出面形成部材２７の正面視上（遊技球排出装置１０を補給樋７に設置した状態で遊技機島設備１をその長手方向に向かって左右方向にあたる方向（図３中Ｘ−Ｙ方向）から眺めた場合（図６（ａ）））、Ｖ字型に屈曲した形状に形成されて、排出面２６を形成している。排出面２６は、Ｖ字型に屈曲する屈曲部分の領域を折返し面となして形成されており、その折返し面と、折返し面につながる２つの面の部分とで形成される。また、排出面２６は、折返し面につながる２つの面のうち、上下方向上側に位置する面を誘導面となし、下側に位置する面を傾斜面となして形成され、それらの面にて遊技球の排出経路となる排出路６０を構成する。すなわち、排出面２６の傾斜面、折返し面、誘導面が、それぞれ排出路の傾斜路６１、折返し路６２、誘導路６３を形成する。
【００５５】
また、図６（ｂ）に示すように、排出面形成部材２７が、排出面２６のうち傾斜面の下流端部に下方向に開口して開口部３０を穿設形成していることで、排出路６０には、傾斜路６１の下流端部に下方向に開口して円形状の開口部３０が形成される。
【００５６】
排出面形成部材２７は、排出面２６の寸法において、遊技球の流下方向に沿う方向にむかって左右方向の寸法（幅寸法）を、遊技球の直径１個分を超えて２個未満としている。また、開口部３０の口径も遊技球の直径１個分を超えて２個未満とされている。これにより、遊技球排出装置１０は、遊技球を一列に並べて排出面２６上を転動流下させることが容易なものとなる。
【００５７】
外壁形成部材２８は、排出面形成部材２７の輪郭に沿って上方に向かって立設されて排出面２６の周囲を取り囲んで立設されており、平面視上（遊技球排出装置１０を補給樋７に設置した状態で遊技機島設備１をその下方向（図１中ではＤ方向）に見た場合）、遊技球排出装置１０の外側側縁周囲を取り囲む外壁部６４と、外壁部６４よりも内側に位置される内壁部６５とを形成する。この内壁部６５は、排出路６０の誘導路６３から傾斜路６１へ直接遊技球が落下することを防止する防護壁として機能することができるものである。外壁形成部材２８は、外壁部６４のうち、誘導路６３の位置よりも上方位置に形成されている部分、且つ、平面視上、誘導路６３を流下する遊技球の流下方向に平行に立設されている部分（図６（ｂ）において、範囲Ｋにて示す）において、外壁形成部材２８の上端から下方向に向かって切り欠かれて開口した部分を形成しており、その開口した部分を取込口２０となしている。
【００５８】
本体２９の外壁形成部材２８には、その外壁形成部材２８に設けられた取込口２０に対して着脱自在に、球止具２２が設けられる。
【００５９】
球止具２２は、取込口２０の輪郭形状に合わせて形成されており、図６（ａ）に示すように、矩形状の板状片の一側辺を斜めに切り欠いてなる形状にて形成されている。そして、球止具２２が、図６（ａ）、図７に示すように、遊技球排出装置１０の取込口２０の位置に着脱自在に装着される。すなわち、この遊技球排出装置１０においては、必要に応じて、球止具２２それ自体が取込口２０に差し込まれ、あるいは、球止具２２それ自体が取込口２０から抜き取られる。
【００６０】
この遊技球排出装置１０において、本体２９には、長手方向に貫通した空間部を形成している球抜き通路形成部材２３が、本体２９の排出面形成部材２７の外面に接続される。このとき、球抜き通路形成部材２３の空間部が本体２９の排出面形成部材２７の開口部３０に対して連通し、球抜き通路形成部材２３は本体２９の下方向に向かって突出するように配置されている。したがって、この遊技球排出装置１０においては、球抜き通路形成部材２３にて形成される球抜き通路２１は、その始端を上方に向かって開口させて形成され、その球抜き通路２１の始端と、排出面形成部材２７の開口部３０とが連通することとなる。
【００６１】
この遊技球排出装置１０は、取込口２０を、補給樋７の長手方向に向かって左右方向の側端部の排出口１９に対面させつつ補給樋７に対して固定されることで、補給樋７に装着される。このとき、遊技球排出装置１０は、その排出面２６の上流側を補給樋７の長手方向下流側に向け、誘導路６３および傾斜路６１よりも補給樋７の上流側に折返し路６２を向けて補給樋７に配置される。
【００６２】
なお、補給樋７への遊技球排出装置１０の固定は、図７に示すように、外壁形成部材２８より内外方向外側方向に向かって係止片５３を設けており、この係止片５３を補給樋７の端縁の取付溝３７に対して上下方向から噛み合わせることで、遊技球排出装置１０が補給樋７に固定されている。
【００６３】
なお、この遊技球排出装置１０を補給樋７に装着するにあたっては、遊技球排出装置１０は、補給樋７の転動面１６と排出路の誘導路の間に、遊技球の取込方向に下り段差（図７中、矢印Ｈ２の範囲にて示す高低差）を形成するように、補給樋７に設けられていてもよい。
【００６４】
＜遊技球排出装置１０ｂのその他の例＞
なお、遊技球排出装置１０ｂとして、上記では、取込口２０と排出口１９との対面を遮断可能に設けられる球止具２２にて、取込口２０から球抜き通路２１への遊技球の転動流下が制御されるように構成されたものを例として詳細に説明したが、遊技球排出装置１０ｂにおいて、取込口２０から球抜き通路２１への遊技球の転動流下を制御する構成はこれに限定されない。
【００６５】
例えば、遊技球排出装置１０ｂが取込口２０から排出路６０を通過して球抜き通路２１へと遊技球が転動流下するように構成される場合、図８（ａ）、（ｂ）に示すように、遊技球の転動流下を排出路６０内の所定位置にて遮断する排出遮断具７０が設けられていてもよい。図８（ａ）、（ｂ）は、排出遮断具７０を備えた遊技球排出装置１０ｂの例を示す図面である。
【００６６】
図８（ａ）、（ｂ）に示す遊技球排出装置１０ｂでは、本体２９の排出面形成部材２７の外面側所定位置に、排出遮断具７０が備えられる。
【００６７】
排出遮断具７０は、遮断片７１と、遮断片７１を係止して排出面形成部材２７の外面に位置させる遮断片係止材７２とを備える。
【００６８】
遮断片７１は、上下方向に細長な形状に形成されるとともに左右方向（図８を記載する紙面表裏方向）に貫通した細長な空間を形成して中空に形成されており、上下方向両端に膨出した膨出部７４，７４を形成し、上下方向に膨出部７４，７４の間の位置に、遮断片７１内の空間を挟んで互いに逆向きに外方向に向かって、２つの隆起部７５，７５が隆起形成されている。
【００６９】
遮断片係止材７２は、側面形成材７８にて矩形筒形状に形成されてその内側に外部と連通する空間（内側空間）を形成しており、側面形成材７８の上下方向下端縁部を内側方向に突出させて係止爪７３を形成している。したがって、この遮断片係止材７２の内側空間は、係止爪７３の位置で窄められて形成されている。
【００７０】
遮断片係止材７２の内側空間は、遮断片７１の大きさとの関係で相対的に定めることができる。ここに、内部空間の大きさは、係止爪７３の形成位置において、遮断片７１の膨出部７４よりも小さく形成されており、上下の膨出部７４，７４の間にあり隆起部７５を除く非隆起部を挿入退出自在な大きさに形成されている。
【００７１】
この排出遮断具７０は、次のように、遊技球排出装置１０ｂに装着される。
【００７２】
遊技球排出装置１０ｂには、排出面形成部材２７の外面側の位置、且つ、取込口２０から開口部３０に至るまでの間の排出路６０の所定位置に対して、平面視上重なる位置に、
係止爪７３を下向きにして遮断片係止材７２が固定されることで、排出遮断具７０が配設される。図８（ｂ）の例では、排出遮断具７０は、排出路６０の傾斜路６１内に設けられる。一方、遊技機排出装置１０ｂには、排出路６０をなす排出面を上下方向に開口させて挿通口７６が設けられており、挿通口７６と遮断片７１とが向かい合わせになっている（図８（ｂ））。こうして、遊技球排出装置１０ｂに、排出遮断具７０が装着された状態が形成される。
【００７３】
遮断片７１は、次のように、遊技球排出装置１０ｂにおいて、遊技球の転動流下を遮断する。
【００７４】
遊技球排出装置１０ｂにおいて、遮断片係止材７２の内側空間に対して、遮断片７１が挿入されている。遮断片７１は、まず上下方向上側の膨出部７４で、遮断片係止材７２の係止爪７３の先端部分に引っかかり、遮断片係止材７２に対して下方向に落下することなく係止されている。この状態においては、遊技球排出装置１０ｂでは、排出遮断具７０に邪魔されずに、遊技球の排出路６０内の転動流下が行われる。
【００７５】
ところで、遮断片７１には、２つの隆起部７５、７５の間に空間部が存在している。そして、遮断片７１は、隆起部７５、７５の形成部分全体として可撓性を有しており、すなわち隆起部７５、７５に対して外側から内側方向に向かって力が加えられることで遮断片７１に撓みを生じて隆起部７５、７５の間隔の広狭を変えることができる。ここに、遮断片係止材７２の矩形筒型形状の空間については、遮断片係止材７２の係止爪７３の位置の大きさは、２つの隆起部７５，７５の隆起先端間の間隔が狭められた場合の大きさよりも大きく、２つの隆起部７５，７５の隆起先端間の間隔が狭められていない場合の大きさよりも小さく形成される。この場合、隆起部７５，７５の間隔が狭められることで、遮断片係止材７２の内側空間に対して遮断片７１を上方向に挿入することが可能となる。このように遮断片７１が上方向に挿入されると、遮断片７１が上端の膨出部７４の先端から所定部分まで、排出面６０に形成された挿通口７６から上方向に突き出て、排出路６０内に臨む。そして、遮断片７１のうち排出路６０内に臨む部分が、遊技球の排出路６０の転動流下を遮断する。なお、断片係止材７２の内側空間に対して遮断片７１を上方向に隆起部７５，７５の部分まで挿入されて、外側から内側方向に向かって隆起部７５，７５に加えられた力を取り除くと、隆起部７５，７５の間隔が元の大きさに戻り、遮断片７１が、隆起部７５，７５にて遮断片係止材７２の係止爪７３の先端部分に引っかかり、隆起部７５，７５にて遮断片係止材７２に対して係止される。
【００７６】
なお、遊技球排出装置１０ｂには、取込口２０から球抜き通路２１への遊技球の転動流下を制御する構成として、球止具２２と排出遮断具７０の両方の構成が備えられてもよい。
【００７７】
＜遊技機島設備１と遊技機器５との配置関係＞
遊技機島設備１には、その長手方向に向かって左右方向（幅方向）側方の位置に、遊技機器５が横並びに配置される。遊技機器５が球貸機４と遊技機３で構成される場合、通常、図１に示すように遊技機３の遊技盤面に向かって左側に球貸機４を位置させ右側に遊技機３を位置させて遊技機３や球貸機４が交互に横並びに設置される。図１に示す例では、遊技機島設備１の幅方向右側方（図１を掲載する紙面手前側に向かう方向）に遊技機３の遊技盤面を向けて遊技機器５が設置されているが、遊技機島設備１の幅方向左側方に遊技機３の遊技盤面を向けて遊技機器５が設置されてもよく、左右両側方に遊技機３の遊技盤面を向けて遊技機器５が設置されていてもよい。さらに、横並びに配置される遊技機器５は、一部あるいは全部が遊技機３のみで構成されてなるものでもよい。
【００７８】
補給樋７の配給口６は、補給樋７の側方位置に設置される遊技機３や球貸機４といった遊技機器５の配置に応じて設けられている。補給樋７の配給口６の形成位置には、分配シュート１１が装着されるが、その分配シュート１１は、遊技球を流入可能な流入口４６と、流入口４６より流入した遊技球を整列させて流下させる整流路４７とを備えており、整流路４７の下流端部にて、遊技機器５に遊技球を導く供給管４８に対してその供給管４８の一方端にて連通している。供給管４８の他方端は、遊技機器５に連通している。こうして、遊技機島設備１は、補給樋７に装着された分配シュート１１に対して遊技球を流入可能に、遊技機器５を接続している。
【００７９】
なお、遊技機器５のうち、球貸機４については、球貸機内部に、遊技機３に向けて所定数の遊技球を送り出す送出経路が設けられている。また、遊技機３については、遊技機３の遊技状態に応じて遊技球を誘導し流下させる流下経路が遊技機３内部に形成されており、また、遊技に供されたものの入賞球として遊技者に付与されない遊技球を排出する遊技球排出口が遊技機３背面側に設けられている。
【００８０】
ここで遊技機設置島１は、通常、補給樋７の汚染や、転動する遊技球への外部からの不正なアクセスを防止するため、幕板（図示せず）により補給樋７をその外側から被覆しており、また遊技球循環構造８を保護するため、ベース板５１や腰板５０を備えてなる箱型のキャビネットや、上記したような幕板にて、遊技球循環構造８をその外側から被覆して構成されている。そして、遊技機器５は、ベース板５１や腰板５０を備えてなる箱型のキャビネットにより支持される膳板５２上に、載置される。
【００８１】
＜遊技球の流下・循環機構（遊技機器５経由）＞
遊技機島設備１では、次に示すように、遊技機器５を経由した遊技球の流下・循環が行われる。
【００８２】
遊技機島設備１の球タンク９に貯留された遊技球は、球タンク９から排出されて、補給樋７の上流に流入し、補給樋７の傾斜に応じて、補給樋７の長手方向に流下する。
【００８３】
遊技球には、補給樋７の長手方向に対して幅方向に曲がって流下するものがある。ここで、補給樋７の底面部材１７は、上方に向かって凸形の形状に形成されている場合がほとんどであることから、遊技球が補給樋７の長手方向に対して幅方向に曲がって流下する主な要因として、補給樋７の底面部材１７の凸形状を挙げることができる。
【００８４】
そして、このように補給樋７を流下する遊技球のなかには、配給口６に向かう遊技球がある。その遊技球が、配給口６を通過すると分配シュート１１内の整流路を流下して、供給管を通じて、遊技機器５内に流入される。遊技機器５内に流入された遊技球は、遊技に応じて遊技機の流下経路を流下・進行して遊技に供され、その後、遊技機背面の遊技球排出口より排出される。遊技球排出口から排出された遊技球は、排出樋１２の排出転動面１３上を流下して、下部タンク１４に集められる。下部タンク１４に貯留された遊技球は、必要に応じて研磨または清掃され、揚送研磨装置１５によって上部の球タンク９に搬送されて、再び補給樋７へと供給される。
【００８５】
＜遊技球の流下・循環機構（遊技球排出装置１０経由）＞
遊技機島設備１では、次に示すように、遊技球排出装置１０を経由した遊技球の流下・循環が行われる。
【００８６】
遊技機島設備１の球タンク９に貯留された遊技球は、球タンク９から排出されて、補給樋７の上流に流入し、補給樋７の傾斜に応じて、補給樋７の長手方向に流下する。補給樋７を流下する遊技球のなかには、補給樋７の最も下流に形成された配給口６を通過してさらに下流方向に向かって流下する遊技球がある。その遊技球は、排出口１９に到達する。排出口１９に到達した遊技球は、遊技球排出装置１０の取込口２０より遊技球排出装置１０に取り込まれ、さらに球抜き通路２１を流下して、球抜き通路２１の終端の開口を通過して、排出樋１２へと導かれる。そして、遊技球は、排出樋１２の排出転動面１３上を流下して、下部タンク１４に集められ、必要に応じて研磨または清掃され、下部タンク１４から揚送研磨装置１５によって上部の球タンク９に搬送されて、再び補給樋７へと供給される。こうして、遊技機島設備１において、遊技球排出装置１０を経由した遊技球の流下・循環が行われる。
【００８７】
ただし、このような遊技球排出装置１０を経由した遊技球の流下・循環は、遊技球排出装置１０の取込口２０が開放されている場合に実現される。すなわち、遊技球排出装置１０においては、遊技球の流下・循環の開始と停止は、球止具２２により取込口２０を開放または閉止することで、適宜変更できる。
【００８８】
さらに、また、遊技機島設備１においては、遊技球の流下・循環の速さは、遊技球排出装置１０のうち取込口２０を開放したものと、遊技球排出装置１０のうち取込口２０を閉止したものを、適宜組み合わせることにより、調整される。例えば、遊技球を補給樋７からできるだけ速やかに流下させ循環させたい場合には、補給樋７から排出される遊技球の量を大きくすればよく、図３に示す遊技機島設備１の例では、遊技球排出装置１０（１０ａ、１０ｂ）の取込口２０を全て開放すればよい。また、遊技球を補給樋７からわずかに排出させたい場合には、例えば、図３に示す遊技機島設備１の例において、遊技球排出装置１０ｂのみ取込口２０を開放すればよい。
【図面の簡単な説明】
【００８９】
【図１】本発明の遊技機島設備の実施例の１つを説明するための概略正面図である。
【図２】図１の概略部分拡大図である。
【図３】補給樋内を転動流下する遊技球の状態を説明するための模式図である。
【図４】（ａ）遊技球排出装置の実施例の１つを説明するための上方斜視図である。（ｂ）遊技球排出装置の実施例の１つを説明するための下方斜視図である。
【図５】（ａ）遊技球排出装置の実施例の１つを示す正面図である。（ｂ）本発明に使用可能な補給樋をその長手方向を垂直に横切る平面で切断した場合における補給樋の概略断面図である。（ｂ）補給樋に遊技球排出装置を装着した状態を説明するための正面図である。
【図６】（ａ）遊技球排出装置の他の実施例の１つを説明するための正面図である。（ｂ）遊技球排出装置の他の実施例の１つを説明するための平面図である。
【図７】補給樋に遊技機排出装置を装着した状態を説明するための図面である。
【図８】（ａ）遊技球排出装置の他の実施例の１つを説明するための正面図である。（ｂ）遊技球排出装置の他の実施例の１つを説明するための平面図である。
【符号の説明】
【００９０】
１  遊技機島設備
２  遊技球
３  遊技機
４  球貸機
５  遊技機器
６  配給口
７  補給樋
８  遊技球循環機構
９  球タンク
１０  遊技球排出装置
１１  分配シュート
１２  排出樋
１３  排出転動面
１４  下部タンク
１５  揚送研磨装置
１６  転動面
１７  底面部材
１８  側壁部材
１９  排出口
２０  取込口
２１  球抜き通路
２２  球止具
２３  球抜き通路形成部材
２４  支持部
２５  ヒンジ
２６  排出面
２７  排出面形成部材
２８  外壁形成部材
２９  本体
３０  開口部
３１  傾斜面
３２  傾斜部
３３  平坦面
３４  板状部材
３５  差込片
３６  支軸
３７  取付溝
３８  薄肉部
３９  厚肉部
４０  ガイド
４１  挿通溝
４２  溝出口
４３  ボルト
４４  切欠
４５  止付片
４６  流入口
４７  整流路
４８  供給管
４９  ナット
５０  腰板
５１  ベース板
５２  膳板
５３  係止片
６０  排出路
６１  傾斜路
６２  折返し路
６３  誘導路
６４  外壁部
６５  内壁部
７０  排出遮断具
７１  遮断片
７２  遮断片係止材
７３  係止爪
７４  膨出部
７５  隆起部
７６  挿通口
７８  側面形成材
【図１】
2009213743.tif 000003
【図２】
2009213743.tif 000004
【図３】
2009213743.tif 000005
【図４】
2009213743.tif 000006
【図５】
2009213743.tif 000007
【図６】
2009213743.tif 000008
【図７】
2009213743.tif 000009
【図８】
2009213743.tif 000010